(57)【要約】【課題】光トランシーバで発生する熱を容易にネットワーク装置の外部に放熱でき、他の光トランシーバに干渉することなく光トランシーバの脱着作業を行うことが可能な光トランシーバ用プラグ及びネットワーク装置を提供する。【解決手段】ネットワーク装置１０のポート１１に接続される機器側接続コネクタ２と、光トランシーバ５が接続される光トランシーバ側接続コネクタ３と、機器側接続コネクタ２と光トランシーバ側接続コネクタ３とを接続する導線部４と、を備え、光トランシーバ側接続コネクタ３に接続された光トランシーバ５と、機器側接続コネクタ２に接続されたネットワーク装置１０とが互いに通信可能に構成されている。【選択図】図１
2017134274.tif 000002
【特許請求の範囲】
【請求項１】
ネットワーク装置のポートに接続される機器側接続コネクタと、
光トランシーバが接続される光トランシーバ側接続コネクタと、
前記機器側接続コネクタと前記光トランシーバ側接続コネクタとを接続する導線部と、を備え、
前記光トランシーバ側接続コネクタに接続された前記光トランシーバと、前記機器側接続コネクタに接続された前記ネットワーク装置とが互いに通信可能に構成されている、
光トランシーバ用プラグ。
【請求項２】
前記導線部の外周を覆うように設けられ、前記導線部を任意の配線形状に維持するためのコルゲート管をさらに備えた、
請求項１に記載の光トランシーバ用プラグ。
【請求項３】
前記光トランシーバ側接続コネクタに設けられ、前記機器側接続コネクタが接続されている前記ポートの状態を発光により表示する表示部をさらに備えた、
請求項１または２に記載の光トランシーバ用プラグ。
【請求項４】
前記光トランシーバ側接続コネクタに設けられ、当該光トランシーバ側接続コネクタを、前記ネットワーク装置の筐体または前記筐体の周辺の部材に固定するための固定手段をさらに備えた、
請求項１乃至３の何れか１項に記載の光トランシーバ用プラグ。
【請求項５】
筐体と、通信用の複数のポートと、を備えたネットワーク装置であって、
前記複数のポートの少なくとも１つが、
前記筐体と別体に構成され、光トランシーバが接続される光トランシーバ側接続コネクタと、
前記光トランシーバ側接続コネクタと前記筐体内に配置された回路基板とを接続する導線部と、を備え、
前記光トランシーバ側接続コネクタに接続された前記光トランシーバと、前記回路基板とが互いに通信可能に構成されている、
ネットワーク装置。
【発明の詳細な説明】
【技術分野】
【０００１】
本発明は、光トランシーバ用プラグ及びネットワーク装置に関する。
【背景技術】
【０００２】
従来、光トランシーバが接続される複数のポートを備えたネットワーク装置が知られている。
【０００３】
光トランシーバは、ネットワーク装置からの電気信号を光信号に変換して光ケーブルに出力すると共に、光ケーブルから入力された光信号を電気信号に変換してネットワーク装置に出力する。
【０００４】
特許文献１では、ネットワーク装置の各ポートに設けられた光トランシーバ用のケージにヒートシンクを取り付けることで、ネットワーク装置内で光トランシーバとその他の素子とが一括して冷却されるように構成されたネットワーク装置が提案されている。
【先行技術文献】
【特許文献】
【０００５】
【特許文献１】特開２０１０−８５８０５号公報
【発明の概要】
【発明が解決しようとする課題】
【０００６】
しかしながら、特許文献１に記載の技術では、多数のポートを高密度に搭載したネットワーク装置において、多数の光トランシーバを接続した場合に、十分な冷却作用が得られないおそれがあり、改善の余地があった。
【０００７】
また、多数のポートを高密度に搭載したネットワーク装置においては、隣り合うポート間の距離が小さくなるため、光トランシーバの脱着作業を行う際に、隣り合うポートに接続された光トランシーバに干渉してしまい、誤って他の光トランシーバの接続を解除してしまうなどの不具合が発生するおそれもあった。
【０００８】
そこで、本発明は、光トランシーバで発生する熱を容易にネットワーク装置の外部に放熱でき、他の光トランシーバに干渉することなく光トランシーバの脱着作業を行うことが可能な光トランシーバ用プラグ及びネットワーク装置を提供することを目的とする。
【課題を解決するための手段】
【０００９】
本発明は、上記課題を解決することを目的として、ネットワーク装置のポートに接続される機器側接続コネクタと、光トランシーバが接続される光トランシーバ側接続コネクタと、前記機器側接続コネクタと前記光トランシーバ側接続コネクタとを接続する導線部と、を備え、前記光トランシーバ側接続コネクタに接続された前記光トランシーバと、前記機器側接続コネクタに接続された前記ネットワーク装置とが互いに通信可能に構成されている、光トランシーバ用プラグを提供する。
【００１０】
また、本発明は、上記課題を解決することを目的として、筐体と、通信用の複数のポートと、を備えたネットワーク装置であって、前記複数のポートの少なくとも１つが、前記筐体と別体に構成され、光トランシーバが接続される光トランシーバ側接続コネクタと、前記光トランシーバ側接続コネクタと前記筐体内に配置された回路基板とを接続し、前記光トランシーバ側接続コネクタに接続された前記光トランシーバと、前記回路基板とを互いに通信可能に接続する導線部と、を備えて構成されている、ネットワーク装置を提供する。
【発明の効果】
【００１１】
本発明によれば、光トランシーバで発生する熱を容易にネットワーク装置の外部に放熱でき、他の光トランシーバに干渉することなく光トランシーバの脱着作業を行うことが可能な光トランシーバ用プラグ及びネットワーク装置を提供できる。
【図面の簡単な説明】
【００１２】
【図１】本発明の一実施の形態に係る光トランシーバ用プラグを示す図であり、（ａ）は斜視図、（ｂ）は両コネクタの筐体を省略した側面図である。
【図２】図１の光トランシーバ用プラグをネットワーク装置に接続した際の斜視図である。
【図３】（ａ）は、固定手段としてクリップを設けた場合の光トランシーバ側接続コネクタの固定を説明する図であり、（ｂ）は、固定手段として磁石を設けた場合の光トランシーバ側接続コネクタの固定を説明する図である。
【図４】本発明の一実施の形態に係るネットワーク装置の斜視図である。
【発明を実施するための形態】
【００１３】
［実施の形態］
以下、本発明の実施の形態を添付図面にしたがって説明する。
【００１４】
図１は、本実施の形態に係る光トランシーバ用プラグを示す図であり、（ａ）は斜視図、（ｂ）は両コネクタの筐体を省略した側面図である。また、図２は、図１の光トランシーバ用プラグをネットワーク装置に接続した際の斜視図である。
【００１５】
図１および図２に示すように、光トランシーバ用プラグ１は、ネットワーク装置１０のポート１１に接続される機器側接続コネクタ２と、光トランシーバ５が接続される光トランシーバ側接続コネクタ３と、機器側接続コネクタ２と光トランシーバ側接続コネクタ３とを接続する導線部４と、を備えている。
【００１６】
ネットワーク装置１０は、例えば、ネットワークスイッチやルータ等である。ネットワーク装置１０の筐体１２の前面には、複数（ここでは２４個）の光トランシーバ５の接続用のポート１１が設けられている。なお、ポート１１の数や配置は図示のものに限定されない。また、ネットワーク装置１０は、ＬＡＮケーブル等の通信ケーブルを接続するポートを別途備えていてもよい。
【００１７】
機器側接続コネクタ２は、機器側筐体２１内に機器側回路基板２２を収容して構成されている。機器側筐体２１の先端部（導線部４の延出側と反対側の端部）は、光トランシーバ５と略同様の形状に形成されており、ポート１１に脱着可能に構成されている。
【００１８】
機器側回路基板２２の先端部には、ポート１１内のコネクタに接続される複数の電極２２ａが整列して形成されており、カードエッジコネクタ２２ｂが形成されている。機器側筐体２１の先端部には開口（不図示）が形成されており、この開口から、機器側回路基板２２のカードエッジコネクタ２２ｂが形成された先端部が露出されている。
【００１９】
機器側接続コネクタ２をポート１１に挿入すると、ポート１１内のコネクタ部にカードエッジコネクタ２２ｂが挿入され、機器側回路基板２２とネットワーク装置１０内の回路基板（不図示）とが電気的に接続される。
【００２０】
機器側回路基板２２の基端部には、複数（カードエッジコネクタ２２ｂを構成する電極２２ａと同数）の電極２２ｃが整列して形成されている。各電極２２ｃには、導線部４の電線４ａがはんだ等により固定され、電気的に接続されている。電極２２ａと対応する電極２２ｃとは、機器側回路基板２２に形成された配線パターン（不図示）により電気的に接続されている。
【００２１】
導線部４は、複数（電極２２ａ，２２ｃと同数）の電線４ａを一括してジャケット４ｂで覆って構成されている。複数の電線４ａは、例えば、電源信号用の配線、通信信号用の配線、あるいは光トランシーバ５の設定や管理を行うための管理信号用の配線として用いられることになる。
【００２２】
図示していないが、ジャケット４ｂの内周には、複数の電線４ａを一括して覆うシールドが設けられている。導線部４は屈曲して用いられるため、シールドとしては、耐屈曲性の高い編組シールドを用いることが望ましい。
【００２３】
本実施の形態では、導線部４の外周を覆うように設けられ、導線部４を任意の配線形状に維持するためのコルゲート管６をさらに備えている。コルゲート管６としては、変形が容易で、かつ、光トランシーバ５を光トランシーバ側接続コネクタ３に挿着した状態において、光トランシーバ側接続コネクタ３の重さに耐えて形状を維持可能なものを用いるとよく、例えば、金属からなるもの（金属コルゲート管）を用いることができる。なお、コルゲート管６として金属からなるものを用いる場合、コルゲート管６にシールドとしての機能を持たせることができるため、導線部４のシールド（編組シールド）を省略することも可能である。
【００２４】
本実施の形態では、導線部４の電線４ａは高速な通信信号を伝送することになるため、導線部４が長すぎると導線部４で信号の劣化が発生し、正常な通信が望めなくなる。導線部４の長さ（電線４ａの長さ）は、ネットワーク装置１０や光トランシーバ５から出力される信号の品質にもよるが、信号品質を維持するという観点から、少なくとも１０ｃｍ以下とすることが望ましいといえる。また、導線部４が短すぎると、光トランシーバ用プラグ１を用いることによる作用効果（後述する）が十分に得られなくなるため、導線部４の長さ（電線４ａの長さ）は、少なくとも２ｃｍ以上とすることが望ましいといえる。
【００２５】
光トランシーバ側接続コネクタ３は、光トランシーバ側筐体３１内に光トランシーバ側回路基板３２を収容して構成されている。
【００２６】
光トランシーバ側回路基板３２の先端部（導線部４の延出側と反対側の端部）には、光トランシーバ５が挿着されるケージ３３が搭載されている。光トランシーバ側筐体３１におけるケージ３３の開口と対向する位置には、光トランシーバ５を挿通する挿通孔３１ａが形成されている。
【００２７】
光トランシーバ側回路基板３２の基端部には、複数（機器側回路基板２２の電極２２ａ，２２ｃと同数）の電極３２ａが整列して形成されている。各電極３２ａには、導線部４の電線４ａがはんだ等により固定され、電気的に接続されている。これにより、光トランシーバ側回路基板３２と機器側回路基板２２とが、導線部４を介して電気的に接続される。
【００２８】
なお、本実施の形態では、電極２２ｃ，３２ａに電線４ａをはんだ等で固定することで、両回路基板２２，３２と導線部４とを接続したが、これに限らず、両回路基板２２，３２と導線部４との接続は、コネクタを介して行われてもよい。
【００２９】
光トランシーバ側回路基板３２におけるケージ３３に覆われた位置には、光トランシーバ５をケージ３３に挿入した際に、光トランシーバ５の接続端子（カードエッジコネクタ）５ａが挿入され電気的に接続されるコネクタ部３２ｂが設けられている。コネクタ部３２ｂと電極３２ａとは、光トランシーバ側回路基板３２に形成された配線パターン（不図示）により電気的に接続されている。
【００３０】
これにより、光トランシーバ側接続コネクタ３に接続された光トランシーバ５と、機器側接続コネクタ２に接続されたネットワーク装置１０とが、光トランシーバ用プラグ１（光トランシーバ側回路基板３２、導線部４、および機器側回路基板２２）を介して、互いに通信可能に接続される。
【００３１】
このように、本実施の形態では、光トランシーバ５を直接ポート１１に挿着するのではなく、光トランシーバ５を光トランシーバ用プラグ１を介してネットワーク装置１０に接続するように構成している。
【００３２】
光トランシーバ用プラグ１を用いることにより、導線部４の形状を適宜変更して、ポート１１の間隔よりも広い間隔で光トランシーバ５を配置することが可能になる。その結果、ポート１１が高密度に搭載されたネットワーク装置１０においても、光トランシーバ５を脱着作業を他の光トランシーバ５の干渉を受けずに行うことが可能になり、光トランシーバ５の脱着作業の作業性が向上する。
【００３３】
また、光トランシーバ用プラグ１を用いることにより、光トランシーバ５をネットワーク装置１０の外部に配置することが可能になる。その結果、光トランシーバ５をネットワーク装置１０に直接挿着した場合と比較して、光トランシーバ５で発生した熱を効率よく外部に放熱することが可能になる。また、光トランシーバ５で発生した熱がネットワーク装置１０内に入り込まないため、ネットワーク装置１０における冷却効率をより向上させることが可能になる。
【００３４】
つまり、光トランシーバ用プラグ１を用いることにより、光トランシーバ５とネットワーク装置１０とを離間させ、光トランシーバ５が発する熱をネットワーク装置１０内に取り込まずに外気に放熱させることが可能になり、光トランシーバ５とネットワーク装置１０それぞれの放熱性を向上させることが可能になる。
【００３５】
図２では、一例として、光トランシーバ５を図示左右方向に広げて配置する場合を示しているが、光トランシーバ５の配置は図示のものに限定されない。例えば、図２における上下方向に隣接する光トランシーバ５の配置をずらしてもよく、光トランシーバ５の数や周辺の部材の配置等を考慮し、隣り合う光トランシーバ５の距離が近くなり過ぎないように、導線部４（コルゲート管６）の形状を適宜調整すればよい。
【００３６】
光トランシーバ側筐体３１としては、光トランシーバ５で発生した熱を外部に放熱し易くするために、熱伝導率の高い材料、例えばＳＵＳやアルミニウム等の金属からなるものを用いることが望ましい。本実施の形態では、コルゲート管６により配線形状を維持しているため、光トランシーバ側筐体３１はなるべく軽量であることが望ましく、アルミニウムからなるものを用いることが望ましいといえる。
【００３７】
また、ケージ３３と光トランシーバ側筐体３１とを放熱シートを介して密着させ、より放熱性を高めてもよい。さらに、光トランシーバ側筐体３１の外壁にフィン（ヒートシンク）を一体に設けることで、より放熱性を高めてもよい。
【００３８】
光トランシーバ側回路基板３２には、光トランシーバ５に供給する電源信号を整え安定させる電源回路が搭載されていてもよい。
【００３９】
また、本実施の形態では、光トランシーバ側接続コネクタ３に設けられ、機器側接続コネクタ２が接続されているポート１１の状態を発光により表示する表示部７をさらに備えている。なお、ここでいうポート１１の状態とは、ポート１１のリンクの有無（リンクアップされているか否か）や通信状態（実際の通信の有無や通信速度など）、を意味している。
【００４０】
表示部７は、発光ダイオード（ＬＥＤ）を有し、発光色や発光パターン（点滅間隔など）により、ポート１１の状態を表示するように構成される。例えば、管理情報によりポート１１の状態をネットワーク装置１０より受信し、受信したポート１１の状態に応じて発光ダイオードを発光させる表示制御部を光トランシーバ側回路基板３２に備えることで、表示部７を実現することができる。表示部７は、光トランシーバ側筐体３１におけるケージ３３の開口側に設けられている。
【００４１】
なお、ネットワーク装置１０側に設けられた表示部（ＬＥＤ）の配線を分岐させて、表示部７の発光ダイオードに接続することも考えられるが、この場合、ポート１１にネットワーク装置１０側の表示部から分岐した配線を接続し、この配線専用の電極をポート１１に新たに設けると共に、この配線専用の電極や配線パターン、電線を両回路基板３２や導線部４に設ける必要がある。この場合、ネットワーク装置１０側にも大幅な構造変更が必要となり、構造を変更したポート１１に直接光トランシーバ５を挿着できなくなるおそれもあるため、上述のように管理情報を基に発光ダイオードを発光させる表示制御部を光トランシーバ側回路基板３２に備えることがより望ましいといえる。
【００４２】
表示部７を備えることにより、光トランシーバ用プラグ１によってネットワーク装置１０側に設けられた表示部が隠れてしまう場合であっても、ポート１１の通信状態等を容易に確認することが可能になり、利便性が向上する。
【００４３】
なお、光トランシーバ５として大型のもの（例えば長距離用のもの）を用いる場合、光トランシーバ５の重さによりコルゲート管６で配線形状を維持できない場合も考えられる。また、光トランシーバ５の重さによりネットワーク装置１０にかかる負荷が大きくなり、筐体１２や筐体１２内の回路基板の破損等の不具合が発生することも考えられる。
【００４４】
よって、このような場合には、図３（ａ），（ｂ）に示すように、光トランシーバ側接続コネクタ３に、光トランシーバ側接続コネクタ３を、ネットワーク装置１０の筐体１２または筐体１２の周辺の部材に固定するための固定手段８を備えるようにしてもよい。
【００４５】
固定手段８としては、例えば、図３（ａ）に示すようなクリップ８ａを用いてもよい。クリップ８ａを固定する部材としては、例えば通信ケーブル（ここでは光ケーブル）を掛けるためのケーブルガイド９を用いることができる。なお、クリップ８ａをネットワーク装置１０を収容するラック等に固定することも可能である。
【００４６】
また、図３（ｂ）に示すように、光トランシーバ側接続コネクタ３の光トランシーバ側筐体３１の外側に磁石８ｂを設け、磁石８ｂによりネットワーク装置１０の筐体１２等に光トランシーバ側接続コネクタ３を固定できるように固定手段８を構成してもよい。なお、磁石８ｂをネットワーク装置１０を収容するラック等に固定することも可能である。なお、磁石８ｂを別途設けずに、光トランシーバ側筐体３１自体が磁性を有するように固定手段８を構成してもよい。
【００４７】
図３（ｂ）のようにネットワーク装置１０の筐体１２の上面あるいは下面に光トランシーバ側接続コネクタ３を固定する場合、光トランシーバ５から延びる光ケーブル５１は、ネットワーク装置１０の背面側に延出されることになる。光ケーブル５１をネットワーク装置１０の背面側に延出したい場合には、図３（ｂ）のように光トランシーバ用プラグ１を使用することで、光ケーブル５１をネットワーク装置１０の前面側で無理に屈曲させることなく、ポート１１に接続することが可能になる。
【００４８】
図３（ａ），（ｂ）のように固定手段８を設ける場合、固定手段８を固定させる対象となるケーブルガイド９、ネットワーク装置１０の筐体１２、あるいはネットワーク装置１０を収容するラック等に、光トランシーバ側筐体３１が熱的に密接して配置されることになる。よって、これらケーブルガイド９、ネットワーク装置１０の筐体１２、あるいはネットワーク装置１０を収容するラック等を介して、光トランシーバ５で発生した熱をより効率よく放熱することが可能になる。なお、固定手段８を設ける場合、コルゲート管６を省略して光トランシーバ用プラグ１全体を軽量とすることがより好ましいといえる。
【００４９】
（実施の形態の作用及び効果）
以上説明したように、本実施の形態に係る光トランシーバ用プラグ１では、ネットワーク装置１０のポート１１に接続される機器側接続コネクタ２と、光トランシーバ５が接続される光トランシーバ側接続コネクタ３と、機器側接続コネクタ２と光トランシーバ側接続コネクタ３とを接続する導線部４と、を備え、光トランシーバ側接続コネクタ３に接続された光トランシーバ５と、機器側接続コネクタ２に接続されたネットワーク装置１０とが互いに通信可能に構成されている。
【００５０】
このように構成された光トランシーバ用プラグ１を用いることで、ポート１１の間隔よりも広い間隔で光トランシーバ５を配置することが可能になり、光トランシーバ５を脱着作業を他の光トランシーバ５の干渉を受けずに行うことが可能になる。
【００５１】
また、光トランシーバ用プラグ１を用いることで、光トランシーバ５をネットワーク装置１０の外部に配置することが可能になり、光トランシーバ５とネットワーク装置１０それぞれの放熱性を向上させることが可能になる。
【００５２】
その結果、本実施の形態に係る光トランシーバ用プラグ１の使用を前提とすることで、ネットワーク装置１０においてより高密度にポート１１を実装することが可能になる。また、ネットワーク装置１０において各ポート１１に設けられているヒートシンクを省略することが可能になり、通気口のスペースをより大きくしてネットワーク装置１０の放熱性をさらに向上させたり、ネットワーク装置１０をより小型化したりすることも可能になる。
【００５３】
（他の実施の形態）
次に、本発明の他の実施の形態を説明する。
【００５４】
図４に示すネットワーク装置４１は、光トランシーバ用プラグ１としての機能を予めネットワーク装置４１内に組み込んだものである。
【００５５】
具体的には、ネットワーク装置４１は、複数のポート１１の少なくとも１つ（ここでは２つ）が、筐体１２と別体に構成され、光トランシーバ５が接続される光トランシーバ側接続コネクタ３と、光トランシーバ側接続コネクタ３と筐体１２内に配置された回路基板（不図示）とを接続する導線部４と、を備え、光トランシーバ側接続コネクタ３に接続された光トランシーバ５と、ネットワーク装置４１内の回路基板とが互いに通信可能に構成されたものである。
【００５６】
ここでは、２つのポート１１が光トランシーバ側接続コネクタ３と導線部４とを備えている場合を説明するが、光トランシーバ側接続コネクタ３と導線部４とを備えたポート１１の数はこれに限定されず、ネットワーク装置４１の全てのポート１１が光トランシーバ側接続コネクタ３と導線部４とを備えていてもよい。
【００５７】
光トランシーバ側接続コネクタ３および導線部４は、図１にて説明したものと同じものである。ネットワーク装置４１では、導線部４の一方の端部をネットワーク装置４１内の回路基板に直接接続しているため、機器側接続コネクタ２は省略されている。
【００５８】
ネットワーク装置４１によれば、光トランシーバ用プラグ１を使用した場合と同様の作用効果、すなわち、光トランシーバ５を脱着作業を他の光トランシーバ５の干渉を受けずに行うことが可能になり、かつ、光トランシーバ５とネットワーク装置１０それぞれの放熱性を向上させることが可能になる、といった作用効果を得ることができる。
【００５９】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００６０】
［１］ネットワーク装置（１０）のポート（１１）に接続される機器側接続コネクタ（２）と、光トランシーバ（５）が接続される光トランシーバ側接続コネクタ（３）と、前記機器側接続コネクタ（２）と前記光トランシーバ側接続コネクタ（３）とを接続する導線部（４）と、を備え、前記光トランシーバ側接続コネクタ（３）に接続された前記光トランシーバ（５）と、前記機器側接続コネクタ（２）に接続された前記ネットワーク装置（１０）とが互いに通信可能に構成されている、光トランシーバ用プラグ（１）。
【００６１】
［２］前記導線部（４）の外周を覆うように設けられ、前記導線部（４）を任意の配線形状に維持するためのコルゲート管（６）をさらに備えた、［１］に記載の光トランシーバ用プラグ（１）。
【００６２】
［３］前記光トランシーバ側接続コネクタ（３）に設けられ、前記機器側接続コネクタ（２）が接続されている前記ポート（１１）の状態を発光により表示する表示部（７）をさらに備えた、［１］または［２］に記載の光トランシーバ用プラグ（１）。
【００６３】
［４］前記光トランシーバ側接続コネクタ（３）に設けられ、当該光トランシーバ側接続コネクタ（３）を、前記ネットワーク装置（１０）の筐体（１２）または前記筐体（１２）の周辺の部材に固定するための固定手段（３１）をさらに備えた、［１］乃至［３］の何れか１項に記載の光トランシーバ用プラグ（１）。
【００６４】
［５］筐体（１２）と、通信用の複数のポート（１１）と、を備えたネットワーク装置（４１）であって、前記複数のポート（１１）の少なくとも１つが、前記筐体（１２）と別体に構成され、光トランシーバ（５）が接続される光トランシーバ側接続コネクタ（３）と、前記光トランシーバ側接続コネクタ（３）と前記筐体（１２）内に配置された回路基板とを接続する導線部（４）と、を備え、前記光トランシーバ側接続コネクタ（３）に接続された前記光トランシーバ（５）と、前記回路基板とが互いに通信可能に構成されている、ネットワーク装置（４１）。
【００６５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６６】
本発明は、その趣旨を逸脱しない範囲で適宜変形して実施することが可能である。
【符号の説明】
【００６７】
１…光トランシーバ用プラグ
２…機器側接続コネクタ
３…光トランシーバ側接続コネクタ
４…導線部
５…光トランシーバ
６…コルゲート管
７…表示部
１０…ネットワーク装置
１１…ポート
１２…筐体
【図１】
2017134274.tif 000003
【図２】
2017134274.tif 000004
【図３】
2017134274.tif 000005
【図４】
2017134274.tif 000006